(57)【要約】【課題】インターネット上に膨大に存在するウェブログから、手間を煩わせることなく、更新者のウェブログの記事に関連するウェブログを処理負担なく効率的に検索して容易にリンクさせることを可能にする。【解決手段】本発明にかかるウェブログ管理装置１００では、ウェブログ検索処理部１０３によって検索されたウェブログの検索結果がウェブログ検索結果記憶部１０２ｃに記憶される。そして、表示制御部１０４によってウェブログ検索結果記憶部１０２ｃから検索結果が読み出され、ウェブログ更新端末装置２００に表示される。ウェブログの更新者であるユーザは、ウェブログの更新中または更新後において、ウェブログ更新端末装置２００に表示される検索結果からリンクしたいウェブログの記事を選択すると、自動的に選択されたウェブログへのリンクが生成される。【選択図】        図３
2008225696.tif 000002
【特許請求の範囲】
【請求項１】
ユーザによってネットワークを介して更新されるウェブログを管理するウェブログ管理処理をコンピュータ装置に実行させるウェブログ管理プログラムであって、
前記ウェブログのコンテンツに関連するコンテンツを含む他のウェブログを検索するウェブログ検索手順と、
前記ウェブログ検索手順によって検索された前記他のウェブログのリストを記憶するリスト記憶手順と、
前記リスト記憶手順によって記憶された前記リストを表示するリスト表示手順と、
前記リスト表示手順によって表示された前記リストから前記ユーザによって選択された前記他のウェブログを、該ユーザによってネットワークを介して更新される前記ウェブログにリンクさせるウェブログリンク手順と
を前記コンピュータ装置に実行させることを特徴とするウェブログ管理プログラム。
【請求項２】
前記ウェブログリンク手順によってリンクされた前記他のウェブログの作成者に対して該リンクを通知する通知手順を前記コンピュータ装置にさらに実行させることを特徴とする請求項１に記載のウェブログ管理プログラム。
【請求項３】
前記ウェブログ検索手順は、前記ユーザによる前記ウェブログの更新が確定されたことを契機として該ウェブログのコンテンツに関連するコンテンツが記述される前記他のウェブログを検索することを特徴とする請求項１または２に記載のウェブログ管理プログラム。
【請求項４】
前記ウェブログ検索手順は、前記ユーザによる前記ウェブログの更新時に、該ユーザによる検索指示を契機として該ウェブログのコンテンツに関連するコンテンツが記述される前記他のウェブログを検索することを特徴とする請求項１または２に記載のウェブログ管理プログラム。
【請求項５】
前記ユーザによる設定指示に応じて前記他のウェブログの検索条件を設定する検索条件設定手順を前記コンピュータ装置にさらに実行させ、
前記ウェブログ検索手順は、前記検索条件設定手順によって設定された前記検索条件に基づいて前記ウェブログのコンテンツに関連するコンテンツが記述される前記他のウェブログを検索することを特徴とする請求項１〜４のいずれか一つに記載のウェブログ管理プログラム。
【請求項６】
前記他のウェブログのコンテンツが外国語によって記述される場合に、該他のウェブログのコンテンツを翻訳する翻訳手順を前記コンピュータ装置にさらに実行させ、
前記ウェブログ検索手順は、前記翻訳手順によって翻訳されたコンテンツを含む前記他のウェブログを検索することを特徴とする請求項１〜５のいずれか一つに記載のウェブログ管理プログラム。
【請求項７】
ユーザによってネットワークを介して更新されるウェブログを管理するウェブログ管理装置であって、
前記ウェブログのコンテンツに関連するコンテンツを含む他のウェブログを検索するウェブログ検索手段と、
前記ウェブログ検索手段によって検索された前記他のウェブログのリストを記憶するリスト記憶手段と、
前記リスト記憶手段によって記憶される前記リストを表示するリスト表示手段と、
前記リスト表示手段によって表示された前記リストから前記ユーザによって選択された前記他のウェブログを、該ユーザによってネットワークを介して更新される前記ウェブログにリンクさせるウェブログリンク手段と
を有することを特徴とするウェブログ管理装置。
【請求項８】
ユーザによってネットワークを介して更新されるウェブログを管理するウェブログ管理方法であって、
前記ウェブログのコンテンツに関連するコンテンツを含む他のウェブログを検索するウェブログ検索工程と、
前記ウェブログ検索工程によって検索された前記他のウェブログのリストを記憶するリスト記憶工程と、
前記リスト記憶工程によって記憶された前記リストを表示するリスト表示工程と、
前記リスト表示工程によって表示された前記リストから前記ユーザによって選択された前記他のウェブログを、該ユーザによってネットワークを介して更新される前記ウェブログにリンクさせるウェブログリンク工程と
を含むことを特徴とするウェブログ管理方法。
【発明の詳細な説明】
【技術分野】
【０００１】
本発明は、ユーザによってネットワークを介して更新されるウェブログを管理するウェブログ管理処理をコンピュータ装置に実行させるウェブログ管理プログラム、ウェブログ管理装置およびウェブログ管理方法に関し、特に、手間を煩わせることなく、更新者のウェブログの記事に関連するウェブログを処理負担なく効率的に検索して容易にリンクさせることを可能にするウェブログ管理プログラム、ウェブログ管理装置およびウェブログ管理方法に関する。
【背景技術】
【０００２】
近年、インターネット上で個人の日記等を公開するウェブログ（Weblog、もしくは単にブログという）というシステムが爆発的に普及している。ウェブログは、従来のウェブサイトに比べ、テキスト入力や画像の貼り付けといった簡単な作業だけで情報をアップロードできることから、気軽に利用されている。ウェブログは、ウェブサイトの簡易版といいうるものである。
【０００３】
このようなウェブログにおいて、文章を入力する際に、他者のウェブログを参照して入力する場合がある。このような場合、参照元のウェブログのＵＲＬ（Uniform Resource Locator）を表示し、ウェブページをリンクさせることがある。そこで、かかるリンク作業の負担を軽減するために、例えば特許文献１には、ウェブログの更新者がウェブログの記事に含まれる語句を指定した上で検索指示を入力すると、指定された語句を含むウェブログの検索結果を一覧表示するコンテンツ管理装置が開示されている。このウェブログ管理装置によれば、ウェブログの更新者は、検索結果を一覧表示から、所望のリンク元ウェブログページを選択することが可能となる。
【０００４】
また、特許文献２には、インターネット上の掲示板において、形態素分析結果に基づいて発言の類似性を判定し、類似性があると判定される発言の存在を通知するインターネット掲示板システムが開示されている。このインターネット掲示板システムによれば、掲示板における発言の際に、類似性があると判定される発言のＵＲＬを掲示するので、発言間の相互参照を促進することができる。
【０００５】
【特許文献１】特開２００５−３３９３８５号公報
【特許文献２】特開２００２−３３４１１１号公報
【発明の開示】
【発明が解決しようとする課題】
【０００６】
しかしながら、上記特許文献１に代表される従来技術では、ウェブログの更新者がウェブログの記事に含まれる語句を指定した上で検索指示を入力しなければ指定された語句を含むウェブログの検索結果を表示できず、煩わしかった。
【０００７】
また、上記特許文献２に代表される従来技術では、インターネット上の掲示板において、形態素分析結果に基づいて発言の類似性を判定するため、処理負担が重く、特に、膨大なウェブログを検索対象とする場合には、処理効率が悪く、実用に適さなかった。
【０００８】
なお、上記特許文献１および２に代表される従来技術を組み合わせたとしても、ウェブログの記事の内容を形態素分析結果に基づいて発言の類似性を判定するため、処理効率の向上が望めず、実用に適さない。
【０００９】
なお、ウェブログには、トラックバックというリンク機能があるが、トラックバックは、特定のウェブログの特定の記事に接した際に、これに対して自身のウェブログで言及する際に使用される機能である。したがって、自身のウェブログで特定の内容について記事を書く際に、この記事に関連した記事を含む不特定多数のウェブログを提示するものではない。
【００１０】
本発明は、上記問題点（課題）を解消するためになされたものであって、インターネット上に膨大に存在するウェブログから、手間を煩わせることなく、更新者のウェブログの記事に関連するウェブログを処理負担なく効率的に検索して容易にリンクさせることを可能にするウェブログ管理プログラム、ウェブログ管理装置およびウェブログ管理方法を提供することを目的とする。
【課題を解決するための手段】
【００１１】
上述した問題を解決し、目的を達成するため、本発明は、ユーザによってネットワークを介して更新されるウェブログを管理するウェブログ管理処理をコンピュータ装置に実行させるウェブログ管理プログラムであって、前記ウェブログのコンテンツに関連するコンテンツを含む他のウェブログを検索するウェブログ検索手順と、前記ウェブログ検索手順によって検索された前記他のウェブログのリストを記憶するリスト記憶手順と、前記リスト記憶手順によって記憶された前記リストを表示するリスト表示手順と、前記リスト表示手順によって表示された前記リストから前記ユーザによって選択された前記他のウェブログを、該ユーザによってネットワークを介して更新される前記ウェブログにリンクさせるウェブログリンク手順とを前記コンピュータ装置に実行させることを特徴とする。
【００１２】
また、本発明は、上記発明において、前記ウェブログリンク手順によってリンクされた前記他のウェブログの作成者に対して該リンクを通知する通知手順を前記コンピュータ装置にさらに実行させることを特徴とする。
【００１３】
また、本発明は、上記発明において、前記ウェブログ検索手順は、前記ユーザによる前記ウェブログの更新が確定されたことを契機として該ウェブログのコンテンツに関連するコンテンツが記述される前記他のウェブログを検索することを特徴とする。
【００１４】
また、本発明は、上記発明において、前記ウェブログ検索手順は、前記ユーザによる前記ウェブログの更新時に、該ユーザによる検索指示を契機として該ウェブログのコンテンツに関連するコンテンツが記述される前記他のウェブログを検索することを特徴とする。
【００１５】
また、本発明は、上記発明において、前記ユーザによる設定指示に応じて前記他のウェブログの検索条件を設定する検索条件設定手順を前記コンピュータ装置にさらに実行させ、前記ウェブログ検索手順は、前記検索条件設定手順によって設定された前記検索条件に基づいて前記ウェブログのコンテンツに関連するコンテンツが記述される前記他のウェブログを検索することを特徴とする。
【００１６】
また、本発明は、上記発明において、前記他のウェブログのコンテンツが外国語によって記述される場合に、該他のウェブログのコンテンツを翻訳する翻訳手順を前記コンピュータ装置にさらに実行させ、前記ウェブログ検索手順は、前記翻訳手順によって翻訳されたコンテンツを含む前記他のウェブログを検索することを特徴とする。
【００１７】
また、本発明は、ユーザによってネットワークを介して更新されるウェブログを管理するウェブログ管理装置であって、前記ウェブログのコンテンツに関連するコンテンツを含む他のウェブログを検索するウェブログ検索手段と、前記ウェブログ検索手段によって検索された前記他のウェブログのリストを記憶するリスト記憶手段と、前記リスト記憶手段によって記憶される前記リストを表示するリスト表示手段と、前記リスト表示手段によって表示された前記リストから前記ユーザによって選択された前記他のウェブログを、該ユーザによってネットワークを介して更新される前記ウェブログにリンクさせるウェブログリンク手段とを有することを特徴とする。
【００１８】
また、本発明は、ユーザによってネットワークを介して更新されるウェブログを管理するウェブログ管理方法であって、前記ウェブログのコンテンツに関連するコンテンツを含む他のウェブログを検索するウェブログ検索工程と、前記ウェブログ検索工程によって検索された前記他のウェブログのリストを記憶するリスト記憶工程と、前記リスト記憶工程によって記憶された前記リストを表示するリスト表示工程と、前記リスト表示工程によって表示された前記リストから前記ユーザによって選択された前記他のウェブログを、該ユーザによってネットワークを介して更新される前記ウェブログにリンクさせるウェブログリンク工程とを含むことを特徴とする。
【発明の効果】
【００１９】
本発明によれば、ユーザによって更新されるウェブログのコンテンツに関連するコンテンツを含むとして検索されたウェブログを、リストからの選択のみによって、ユーザによって更新されるウェブログにリンクさせることができるという効果を奏する。
【００２０】
また、本発明によれば、ユーザによって更新されるウェブログにリンクされたウェブログの作成者は、リンクされたことを認識することができるという効果を奏する。
【００２１】
また、本発明によれば、ユーザによって更新されるウェブログのコンテンツに関連するコンテンツを含むウェブログの検索を、ウェブログの更新の確定とともに自動的におこなうことができるという効果を奏する。
【００２２】
また、本発明によれば、トラックバックをおこなったウェブログを識別してウェブログ検索結果の表示から除外するので、トラックバックをおこなったウェブログをさらにリンクさせるという無駄を防止することができるという効果を奏する。
【００２３】
また、本発明によれば、ユーザの検索指示に基づき、ユーザによって更新されるウェブログのコンテンツに関連するコンテンツを含むウェブログの検索をおこなうので、ウェブログの更新中に検索結果を利用することができるという効果を奏する。
【００２４】
また、本発明によれば、ユーザによって更新されるウェブログのコンテンツに関連するコンテンツを含むウェブログの検索条件を、ユーザの任意で設定することができるという効果を奏する。
【００２５】
また、本発明によれば、ユーザによって更新されるウェブログのコンテンツに関連するコンテンツを含むウェブログの検索対象を、外国語で記述されているウェブログまで含めることができるという効果を奏する。
【発明を実施するための最良の形態】
【００２６】
以下に添付図面を参照し、本発明のウェブログ管理プログラム、ウェブログ管理装置およびウェブログ管理方法にかかる実施例１および２を詳細に説明する。先ず、実施例１および２の説明に先立って、図１および図２を参照して、本発明の概要について説明する。
【００２７】
図１は、本発明の概要を説明するための説明図（その１）である。図２は、図１に続き、本発明の概要を説明するための説明図（その２）である。なお、図１および図２は、ウェブログの画面表示を用いて本発明の概要を説明するための説明図であるが、その説明に先立ってウェブログの画面表示について説明しておく。
【００２８】
ウェブログの表示画面２０１は、ウェブログタイトル表示部２０１ａと、記事タイトル表示部２０１ｂと、記事カテゴリおよび更新日時表示部２０１ｃと、記事入力表示部２０１ｄと、更新ボタン２０１ｅと、更新キャンセルボタン２０１ｆと、ウェブログ検索結果表示部２０１ｇと、検索条件設定ボタン２０１ｈとを有する。
【００２９】
なお、更新ボタン２０１ｅは、記事入力表示部２０１ｄが入力可能状態になっているときに表示される。更新ボタン２０１ｅが押下された後は、更新ボタンに代わって修正ボタン２０１ｉが表示される。
【００３０】
さて、（１）先ず、ウェブログの作成者がウェブログの記事の記入をおこない、更新ボタン２０１ｅを押下する（ウェブログ更新）。（２）続いて、ウェブログサイトからログアウトした後に、再びウェブログサイトへログインする（ログアウト後再びログイン）。このときウェブログの画面表示において、ウェブログ検索結果表示部２０１ｇにはウェブログの検索結果が表示されており、また修正ボタン２０１ｉが表示され、記事入力表示部２０１ｄの修正が可能となっている（以上、図１）。
【００３１】
なお、ここでのウェブログ検索は、記事タイトルの類似性があると判定されるウェブログを検索し、類似性の高い順序でリスト表示を行う検索方法であるが、これに限定されず、画像タイトルを含む記事内容の類似性を判定してウェブログを検索する検索方法であってもよい。
【００３２】
（３−１）続いて、修正ボタン２０１ｉが押下されたことを前提とし、ウェブログ検索結果表示部２０１ｇにおいてリンクしたい記事の記事タイトルをクリックすると、（３−２）記事入力表示部２０１ｄに、クリックされた記事タイトルの記事のリンクＵＲＬが自動入力される（修正開始）。
【００３３】
そして、更新ボタン２０１ｅを押下すると、（４）記事入力表示部２０１ｄにおいて、自動入力されたリンクＵＲＬの入力が確定することとなる（修正後更新）。
【００３４】
このように、本発明によれば、ウェブログにおいて記事を入力後に、自動的にタイトルが類似する記事を有するウェブログを検索して一覧表示し、記事の修正時に、この一覧表示から任意に選択された記事のＵＲＬを自動入力することにより、ウェブログの相互リンクを促進させることができる。
【実施例１】
【００３５】
以下、図３〜図８を参照して、本発明の実施例１を説明する。なお、本発明の実施例１は、ウェブログの記事の更新後に再ログインしたときに、ウェブログ検索結果表示部２０１ｇに検索結果が表示される実施例である。
【００３６】
先ず、実施例１にかかるウェブログ管理装置の構成について説明する。図３は、実施例１にかかるウェブログ管理装置の構成を示す機能ブロック図である。同図に示すように、実施例１にかかるウェブログ管理装置１００は、インターネットなどのネットワークＮを介してウェブログ更新端末装置２００と、他のウェブログ管理装置１００ａ、・・・、１００ｘと接続される。
【００３７】
また、同図に示すように、実施例１にかかるウェブログ管理装置１００は、ウェブログ更新処理部１０１と、記憶部１０２と、ウェブログ検索処理部１０３と、表示制御部１０４と、検索条件設定部１０５と、インターフェース部１０６とを有する。なお、同図では、実施例１に関連する特徴部分のみを記載し、それ以外については記載を省略している。
【００３８】
ウェブログ更新処理部１０１は、ウェブログ更新端末装置２００からのウェブログ更新指示に基づいてウェブログを更新し、ウェブログ記憶部１０２ａにソースコードとして記憶させる処理部である。
【００３９】
記憶部１０２は、ウェブログ管理処理にかかる各種情報を記憶する記憶手段であり、ウェブログ記憶部１０２ａと、ユーザ情報記憶部１０２ｂと、ウェブログ検索結果記憶部１０２ｃとをさらに有する。
【００４０】
ウェブログ記憶部１０２ａは、ユーザごと、カテゴリごと、更新日時ごとにウェブログのソースコードを記憶する記憶手段である。例えば、記憶されるソースコードは、図４のウェブログ記憶部に記憶されるウェブログのソースコードの例に示すようなものである。ソースコードは、ウェブログ検索可能なＨＴＭＬ（Hyper Text Markup Language）形式またはＸＭＬ（eXtensible Markup Language）形式で記述される。
【００４１】
また、ユーザ情報記憶部１０２ｂは、ウェブログのユーザ属性を記憶する記憶手段である。例えば、記憶されるユーザ属性は、図５のユーザ情報記憶部に記憶されるユーザ情報の例を示す図に示すようなテーブルに記憶される。ユーザ属性の具体例としては、性別、年齢などがあり、これらがユーザＩＤ、パスワードおよびウェブログＩＤの組み合わせに対応付けられて記憶されている。ユーザＩＤおよびパスワードは、ユーザがウェブログの更新を行う際にログインするために必要な識別情報である。また、ウェブログＩＤは、ユーザのウェブログを特定するＵＲＬを構成するために必要な識別情報である。
【００４２】
なお、ユーザ情報記憶部１０２ｂに記憶されるユーザ属性は、ユーザ登録時にユーザによって入力されるとともに、ウェブログ記憶部１０２ａに記憶されるウェブログのソースコードが生成されるごとに、生成されたソースコードに埋め込まれる。これによって、ユーザ属性を検索条件としたウェブログ検索時に、当該検索条件に合致するウェブログを検索することが可能となる。
【００４３】
ウェブログ検索結果記憶部１０２ｃは、ウェブログ検索処理部１０３による検索結果を記憶する記憶手段である。検索結果は、ＨＴＭＬ形式またはＸＭＬ形式のソースコードで記憶される。例えば、記憶されるソースコードは、図６のウェブログ検索結果記憶部に記憶されるウェブログ検索結果のソースコードの例に示すようなものである。このソースコードに従えば、記事タイトルやユーザ属性などの検索条件に対する適合度が高い検索結果から順番に表示することが可能となる。例えば、リンクＵＲＬが対応付けられたタイトルと、記事の先頭部分とを表示する。ページ切り替えにより、全ての検索結果が表示可能となる。なお、検索結果から一の検索結果を選択し所定の操作を行うことによって、当該検索結果に対応付けられるウェブログのページをホップアップ表示することとしてもよい。
【００４４】
ウェブログ検索処理部１０３は、ウェブログ更新処理部１０１によるウェブログ更新をトリガにして、自装置であるウェブログ管理装置１００に記憶されるウェブログおよび他のウェブログ管理装置１００ａ、・・・、１００ｘに記憶されるウェブログから、設定された検索条件に合致するウェブログを検索する。そして、検索結果をウェブログ検索結果記憶部１０２ｃに記憶する。
【００４５】
なお、ウェブログ検索処理部１０３は、外国語で記述されたウェブログも検索可能なように、検索条件を外国語に翻訳してウェブログ検索をおこなう機能を有する。また、取得された検索結果が外国語で記述されたウェブログである場合には、当該ウェブログの該当記事を翻訳してウェブログ検索結果記憶部１０２ｃに記憶する機能を有することとしてもよい。これによって、外国語で記述されたウェブログが検索対象となりうる。
【００４６】
表示制御部１０４は、ウェブログ更新端末装置２００からの表示要求に従って、ウェブログ記憶部１０２ａからウェブログのソースコードを読み出してインターフェース部１０６を介してウェブログ更新端末装置２００へ受け渡すとともに、ウェブログ検索結果記憶部１０２ｃからウェブログ検索結果のソースコードを読み出してインターフェース部１０６を介してウェブログ更新端末装置２００へ受け渡す。
【００４７】
検索条件設定部１０５は、ウェブログ更新端末装置２００にて設定された検索条件を、ウェブログ検索処理部１０３へ受け渡す。また、インターフェース部１０６は、ウェブログ管理装置１００がウェブログ更新端末装置２００またはウェブログ管理装置１００ａ、・・・、１００ｘと情報の授受を行うための通信インターフェースである。
【００４８】
次に、図３に示したウェブログ管理装置１００で実行されるウェブログ自動リンク処理について説明する。図７は、図３に示したウェブログ管理装置１００で実行されるウェブログ自動リンク処理手順を示すフローチャートである。先ず、ウェブログ検索処理部１０３は、ウェブログ更新端末装置２００において、記事入力後に更新ボタン２０１ｅが押下されたか否かを判定する（ステップＳ１０１）。更新ボタン２０１ｅが押下された場合は（ステップＳ１０１肯定）、ステップＳ１０２へ移り、更新ボタン２０１ｅが押下されなかった場合は（ステップＳ１０１否定）、ステップＳ１０１を繰り返す。
【００４９】
ステップＳ１０２では、ウェブログ検索処理部１０３は、ウェブログ更新端末装置２００から予め設定されている検索条件を外国語に翻訳し、翻訳前後の検索条件に基づきウェブログを検索する。続いて、ウェブログ検索処理部１０３は、ステップＳ１０２によるウェブログ検索結果をウェブログ検索結果記憶部１０２ｃに記憶する（ステップＳ１０３）。
【００５０】
続いて、表示制御部１０４は、ウェブログ更新端末装置２００において、ユーザがログアウトしたか否かを判定する（ステップＳ１０４）。ユーザがログアウトした場合は（ステップＳ１０４肯定）、ステップＳ１０５へ移り、ユーザがログアウトしなかった場合は（ステップＳ１０４否定）、ステップＳ１０６へ移る。
【００５１】
ステップＳ１０５では、表示制御部１０４は、ウェブログ更新端末装置２００において、ユーザがログインしたか否かを判定する。ユーザがログインした場合は（ステップＳ１０５肯定）、ステップＳ１０６へ移り、ユーザがログインしなかった場合は（ステップＳ１０５否定）、ステップＳ１０５を繰り返す。
【００５２】
ステップＳ１０６では、ウェブログ検索処理部１０３は、ウェブログ検索結果記憶部１０２ｃに記憶されている検索結果の中でトラックバックされている記事のＵＲＬを識別する。具体的には、ウェブログ検索結果記憶部１０２ｃに記憶されている検索結果のウェブログのソースコード中にトラックバックを示すＵＲＬとして、ステップＳ１０１で記事入力されたウェブログページを示すＵＲＬが記述されている場合は、当該ウェブログを検索結果から除外可能に識別する。これは、すでに相手方のウェブログからリンクされているにもかかわらず、さらに自ら相手方へリンクするという二重リンクの無駄を防止するためである。
【００５３】
続いて、表示制御部１０４は、ウェブログ検索結果記憶部１０２ｃから、ステップＳ１０６で識別されているトラックバック済みのウェブログページを除外して検索結果を読み出して、表示のために、インターフェース部１０６を介してウェブログ更新端末装置２００へ受け渡す。そして、ウェブログ更新端末装置２００は、受け取った検索結果を表示する（ステップＳ１０７）。
【００５４】
続いて、表示制御部１０４は、ウェブログ更新端末装置２００において、修正ボタン２０１ｉが押下され、記事を修正するか否かを判定する（ステップＳ１０８）。記事を修正する場合は（ステップＳ１０８肯定）、ステップＳ１０９へ移り、記事を修正しない場合は（ステップＳ１０８否定）、ステップＳ１０８を繰り返す。
【００５５】
続いて、表示制御部１０４は、ウェブログ更新端末装置２００において、ウェブログ検索結果表示部２０１ｇに表示される検索結果からリンク候補が選択されたか否かを判定する（ステップＳ１０９）。リンク候補が選択された場合は（ステップＳ１０９肯定）、ステップＳ１１０へ移り、リンク候補が選択されなかった場合は（ステップＳ１０９否定）、ステップＳ１０８へ移る。
【００５６】
ステップＳ１１０では、表示制御部１０４は、選択されたリンク候補を記事へ挿入し、当該リンク候補に対する記事入力を受け付け可能とする。そして、表示制御部１０４は、選択されたリンク候補のウェブログに対してリンクを通知する（ステップＳ１１１）。このリンクの通知は、リンク候補のウェブログのＵＲＬに基づくこととしてもよいし、ウェブログに通知先の電子メールアドレスが記載されている場合に、この電子メールアドレス宛に電子メールを送信することとしてもよい。
【００５７】
次に、ウェブログ更新端末装置２００から入力され、検索条件設定部１０５に設定されるウェブログ検索条件設定画面の例について説明する。図８は、検索条件設定画面の例を示す図である。同図に示すように、ウェブログ検索条件設定画面２０２は、ウェブログタイトル検索条件設定部２０２ａと、ウェブログ記事タイトル検索条件設定部２０２ｂと、ウェブログ記事検索条件設定部２０２ｃと、ユーザ性別検索条件設定部２０２ｄと、検索対象年齢検索条件設定部２０２ｅと、検索対象期間検索条件設定部２０２ｆと、検索条件設定終了ボタン２０２ｇとを有する。
【００５８】
ウェブログタイトル検索条件設定部２０２ａは、チェックボックスをチェックすることによって、検索条件としてウェブログタイトルの類似または一致を指定することが可能である。
【００５９】
ウェブログ記事タイトル検索条件設定部２０２ｂは、チェックボックスをチェックすることによって、検索条件としてウェブログ記事タイトルの類似または一致を指定することが可能である。
【００６０】
ウェブログ記事検索条件設定部２０２ｃは、チェックボックスをチェックすることによって、検索条件としてウェブログ記事の類似または一致を指定することが可能である。なお、検索条件としてウェブログ記事の類似または一致が指定された場合には、ウェブログ記事のみならず画像ファイル名も検索対象となる。
【００６１】
なお、ウェブログタイトル検索条件設定部２０２ａ、ウェブログ記事タイトル検索条件設定部２０２ｂ、ウェブログ記事検索条件設定部２０２ｃは、検索条件として類似または一致を指定するラジオボタンを有している。
【００６２】
ユーザ性別検索条件設定部２０２ｄは、チェックボックスをチェックすることによって、検索条件としてユーザ性別を指定することが可能である。
【００６３】
検索対象年齢検索条件設定部２０２ｅは、チェックボックスをチェックし、検索対象年齢の上限および下限を設定することによって、検索条件としてユーザ年齢を指定することが可能である。
【００６４】
検索対象期間検索条件設定部２０２ｆは、チェックボックスをチェックし、検索対象期間の上限および下限を設定することによって、検索条件としてウェブログ更新日時の期間を指定することが可能である。
【００６５】
検索条件設定終了ボタン２０２ｇが押下されたことを契機として、設定された検索条件が検索条件設定部１０５へと受け渡され、検索条件設定画面が閉じられる。
【００６６】
なお、ウェブログタイトル、ウェブログ記事タイトル、ウェブログ記事、ユーザ性別、検索対象年齢、検索対象期間は、検索条件の例を示したに過ぎず、これに限定されるものではない。例えば、外国語のウェブログを検索対象とするために、外国語で記述されたウェブログを検索対象とするか否かを検索条件として設定することとしてもよい。
【００６７】
このように、実施例１では、ウェブログの記事の更新後にログアウトしてから再びログインするまでに、検索条件に合致するウェブログを検索し、再びログインするとウェブログ検索結果表示部２０１ｇにウェブログの検索結果が表示されることとなり、ウェブログの記事の修正時にウェブログのリンクを自動的に生成することが可能となる。
【実施例２】
【００６８】
以下、図９〜図１０を参照して、本発明の実施例２を説明する。なお、本発明の実施例２は、ウェブログの記事の更新中に、ウェブログ検索結果表示部２０１ｇに検索結果を表示可能な実施例である。なお、実施例２では、実施例１と同一である構成、機能、画面について説明を省略する。
【００６９】
先ず、実施例２にかかるウェブログ管理装置１００で実行されるウェブログ自動リンク処理について説明する。図９は、実施例２にかかるウェブログ管理装置１００で実行されるウェブログ自動リンク処理手順を示すフローチャートである。先ず、ウェブログ検索処理部１０３は、ウェブログ更新端末装置２００において、記事入力中にウェブログ検索ボタン２０１ｊが押下されたか否かを判定する（ステップＳ２０１）。ウェブログ検索ボタン２０１ｊが押下された場合は（ステップＳ２０１肯定）、ステップＳ２０２へ移り、ウェブログ検索ボタン２０１ｊが押下されなかった場合は（ステップＳ２０１否定）、ステップＳ２０１を繰り返す。
【００７０】
ステップＳ２０２では、ウェブログ検索処理部１０３は、ウェブログ更新端末装置２００から予め設定されている検索条件を外国語に翻訳し、翻訳前後の検索条件に基づきウェブログを検索する。続いて、ウェブログ検索処理部１０３は、ステップＳ２０２によるウェブログ検索結果を、表示のために、インターフェース部１０６を介してウェブログ更新端末装置２００へ受け渡す。そして、ウェブログ更新端末装置２００は、受け取った検索結果を表示する（ステップＳ２０３）。
【００７１】
続いて、表示制御部１０４は、ウェブログ更新端末装置２００において、ウェブログ検索結果表示部２０１ｇに表示される検索結果からリンク候補が選択されたか否かを判定する（ステップＳ２０４）。リンク候補が選択された場合は（ステップＳ２０４肯定）、ステップＳ２０５へ移り、リンク候補が選択されなかった場合は（ステップＳ２０４否定）、ステップＳ２０７へ移る。
【００７２】
ステップＳ２０５では、表示制御部１０４は、選択されたリンク候補を記事へ挿入し、当該リンク候補に対する記事入力を受け付け可能とする。そして、表示制御部１０４は、選択されたリンク候補のウェブログに対してリンクを通知する（ステップＳ２０６）。このリンクの通知は、リンク候補のウェブログのＵＲＬに基づくこととしてもよいし、ウェブログに通知先の電子メールアドレスが記載されている場合に、この電子メールアドレス宛に電子メールを送信することとしてもよい。
【００７３】
続いて、表示制御部１０４は、更新ボタン２０１ｅが押下されたか否かを判定する（ステップＳ２０７）。更新ボタン２０１ｅが押下された場合には（ステップＳ２０７肯定）、ウェブログ自動リンク処理を終了し、更新ボタン２０１ｅが押下されなかった場合には（ステップＳ２０７否定）、ステップＳ２０４へ移る。
【００７４】
なお、図１０に示すように、実施例にかかるウェブログの画面表示には、検索条件設定ボタン２０１ｈの下方に、ウェブログ検索ボタン２０１ｊが操作可能に表示されている。このウェブログ検索ボタン２０１ｊが押下されると、ウェブログの記事の入力中であってもウェブログ検索結果表示部２０１ｇにウェブログの検索結果が表示されることとなり、ウェブログの記事の入力中にウェブログのリンクを自動的に生成することが可能となる。
【００７５】
以上、本発明の実施例を説明したが、本発明は、これに限られるものではなく、特許請求の範囲に記載した技術的思想の範囲内で、更に種々の異なる実施例で実施されてもよいものである。また、実施例に記載した効果は、これに限定されるものではない。
【００７６】
本発明によれば、ウェブログのリンクを自動的に生成することが可能である。これが従来のトラックバックと異なる点は、トラックバックが特定のウェブログの特定の記事に対する記事を書くことを目的とするのに対し、ウェブログのリンク自動生成は、自身が書いたウェブログの記事に関連する内容を有する不特定多数のウェブログを検索し、このなかから任意のリンク対象を選択して記事を追記していくという点である。すなわち、トラックバックが特定のウェブログの特定の記事を主体とする受動的なリンク方法であるのに対して、リンク自動生成は、自身のウェブログの記事を主体とする能動的なリンク方法である。
【００７７】
また、上記実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記実施例で示した処理手順、制御手順、具体的名称、各種のデータやパラメータを含む情報については、特記する場合を除いて任意に変更することができる。
【００７８】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００７９】
さらに、各装置にて行なわれる各処理機能は、その全部または任意の一部が、ＣＰＵ（Central Processing Unit）（またはＭＰＵ（Micro Processing Unit）、ＭＣＵ（Micro Controller Unit）などのマイクロ・コンピュータ）および当該ＣＰＵ（またはＭＰＵ、ＭＣＵなどのマイクロ・コンピュータ）にて解析実行されるプログラムにて実現され、あるいは、ワイヤードロジックによるハードウェアとして実現されてもよい。
【００８０】
（付記１）ユーザによってネットワークを介して更新されるウェブログを管理するウェブログ管理処理をコンピュータ装置に実行させるウェブログ管理プログラムであって、
前記ウェブログのコンテンツに関連するコンテンツを含む他のウェブログを検索するウェブログ検索手順と、
前記ウェブログ検索手順によって検索された前記他のウェブログのリストを記憶するリスト記憶手順と、
前記リスト記憶手順によって記憶された前記リストを表示するリスト表示手順と、
前記リスト表示手順によって表示された前記リストから前記ユーザによって選択された前記他のウェブログを、該ユーザによってネットワークを介して更新される前記ウェブログにリンクさせるウェブログリンク手順と
を前記コンピュータ装置に実行させることを特徴とするウェブログ管理プログラム。
【００８１】
（付記２）前記ウェブログリンク手順によってリンクされた前記他のウェブログの作成者に対して該リンクを通知する通知手順を前記コンピュータ装置にさらに実行させることを特徴とする付記１に記載のウェブログ管理プログラム。
【００８２】
（付記３）前記ウェブログ検索手順は、前記ユーザによる前記ウェブログの更新が確定されたことを契機として該ウェブログのコンテンツに関連するコンテンツが記述される前記他のウェブログを検索することを特徴とする付記１または２に記載のウェブログ管理プログラム。
【００８３】
（付記４）前記ウェブログ検索手順によって検索された前記他のウェブログのうち、既に前記ウェブログに対してトラックバックを行っているウェブログを識別するトラックバック識別手順を前記コンピュータシステムにさらに実行させ、
前記リスト表示手順は、前記トラックバック識別手順によって識別されたウェブログを除外して前記リストを表示することを特徴とする付記３に記載のウェブログ管理プログラム。
【００８４】
（付記５）前記ウェブログ検索手順は、前記ユーザによる前記ウェブログの更新時に、該ユーザによる検索指示を契機として該ウェブログのコンテンツに関連するコンテンツが記述される前記他のウェブログを検索することを特徴とする付記１または２に記載のウェブログ管理プログラム。
【００８５】
（付記６）前記ユーザによる設定指示に応じて前記他のウェブログの検索条件を設定する検索条件設定手順を前記コンピュータ装置にさらに実行させ、
前記ウェブログ検索手順は、前記検索条件設定手順によって設定された前記検索条件に基づいて前記ウェブログのコンテンツに関連するコンテンツが記述される前記他のウェブログを検索することを特徴とする付記１〜５のいずれか一つに記載のウェブログ管理プログラム。
【００８６】
（付記７）前記他のウェブログのコンテンツが外国語によって記述される場合に、該他のウェブログのコンテンツを翻訳する翻訳手順を前記コンピュータ装置にさらに実行させ、
前記ウェブログ検索手順は、前記翻訳手順によって翻訳されたコンテンツを含む前記他のウェブログを検索することを特徴とする付記１〜６のいずれか一つに記載のウェブログ管理プログラム。
【００８７】
（付記８）ユーザによってネットワークを介して更新されるウェブログを管理するウェブログ管理装置であって、
前記ウェブログのコンテンツに関連するコンテンツを含む他のウェブログを検索するウェブログ検索手段と、
前記ウェブログ検索手段によって検索された前記他のウェブログのリストを記憶するリスト記憶手段と、
前記リスト記憶手段によって記憶される前記リストを表示するリスト表示手段と、
前記リスト表示手段によって表示された前記リストから前記ユーザによって選択された前記他のウェブログを、該ユーザによってネットワークを介して更新される前記ウェブログにリンクさせるウェブログリンク手段と
を有することを特徴とするウェブログ管理装置。
【００８８】
（付記９）前記ウェブログリンク手段によってリンクされた前記他のウェブログの作成者に対して該リンクを通知する通知手段をさらに有することを特徴とする付記８に記載のウェブログ管理装置。
【００８９】
（付記１０）前記ウェブログ検索手段は、前記ユーザによる前記ウェブログの更新が確定されたことを契機として該ウェブログのコンテンツに関連するコンテンツが記述される前記他のウェブログを検索することを特徴とする付記８または９に記載のウェブログ管理装置。
【００９０】
（付記１１）前記ウェブログ検索手段によって検索された前記他のウェブログのうち、既に前記ウェブログに対してトラックバックを行っているウェブログを識別するトラックバック識別手段をさらに有し、
前記リスト表示手段は、前記トラックバック識別手段によって識別されたウェブログを除外して前記リストを表示することを特徴とする付記１０に記載のウェブログ管理装置。
【００９１】
（付記１２）前記ウェブログ検索手段は、前記ユーザによる前記ウェブログの更新時に、該ユーザによる検索指示を契機として該ウェブログのコンテンツに関連するコンテンツが記述される前記他のウェブログを検索することを特徴とする付記８または９に記載のウェブログ管理装置。
【００９２】
（付記１３）前記ユーザによる設定指示に応じて前記他のウェブログの検索条件を設定する検索条件設定手段をさらに有し、
前記ウェブログ検索手段は、前記検索条件設定手段によって設定された前記検索条件に基づいて前記ウェブログのコンテンツに関連するコンテンツが記述される前記他のウェブログを検索することを特徴とする付記８〜１２のいずれか一つに記載のウェブログ管理装置。
【００９３】
（付記１４）前記他のウェブログのコンテンツが外国語によって記述される場合に、該他のウェブログのコンテンツを翻訳する翻訳手段をさらに有し、
前記ウェブログ検索手段は、前記翻訳手段によって翻訳されたコンテンツを含む前記他のウェブログを検索することを特徴とする付記８〜１３のいずれか一つに記載のウェブログ管理装置。
【００９４】
（付記１５）ユーザによってネットワークを介して更新されるウェブログを管理するウェブログ管理方法であって、
前記ウェブログのコンテンツに関連するコンテンツを含む他のウェブログを検索するウェブログ検索工程と、
前記ウェブログ検索工程によって検索された前記他のウェブログのリストを記憶するリスト記憶工程と、
前記リスト記憶工程によって記憶された前記リストを表示するリスト表示工程と、
前記リスト表示工程によって表示された前記リストから前記ユーザによって選択された前記他のウェブログを、該ユーザによってネットワークを介して更新される前記ウェブログにリンクさせるウェブログリンク工程と
を含むことを特徴とするウェブログ管理方法。
【００９５】
（付記１６）前記ウェブログリンク工程によってリンクされた前記他のウェブログの作成者に対して該リンクを通知する通知工程をさらに含むことを特徴とする付記１５に記載のウェブログ管理方法。
【００９６】
（付記１７）前記ウェブログ検索工程は、前記ユーザによる前記ウェブログの更新が確定されたことを契機として該ウェブログのコンテンツに関連するコンテンツが記述される前記他のウェブログを検索することを特徴とする付記１５または１６に記載のウェブログ管理方法。
【００９７】
（付記１８）前記ウェブログ検索工程によって検索された前記他のウェブログのうち、既に前記ウェブログに対してトラックバックを行っているウェブログを識別するトラックバック識別工程をさらに含み、
前記リスト表示工程は、前記トラックバック識別工程によって識別されたウェブログを除外して前記リストを表示することを特徴とする付記１７に記載のウェブログ管理方法。
【００９８】
（付記１９）前記ウェブログ検索工程は、前記ユーザによる前記ウェブログの更新時に、該ユーザによる検索指示を契機として該ウェブログのコンテンツに関連するコンテンツが記述される前記他のウェブログを検索することを特徴とする付記１５または１６に記載のウェブログ管理方法。
【００９９】
（付記２０）前記ユーザによる設定指示に応じて前記他のウェブログの検索条件を設定する検索条件設定工程をさらに含み、
前記ウェブログ検索工程は、前記検索条件設定工程によって設定された前記検索条件に基づいて前記ウェブログのコンテンツに関連するコンテンツが記述される前記他のウェブログを検索することを特徴とする付記１５〜１９のいずれか一つに記載のウェブログ管理方法。
【０１００】
（付記２１）前記他のウェブログのコンテンツが外国語によって記述される場合に、該他のウェブログのコンテンツを翻訳する翻訳工程をさらに含み、
前記ウェブログ検索工程は、前記翻訳工程によって翻訳されたコンテンツを含む前記他のウェブログを検索することを特徴とする付記１５〜２０のいずれか一つに記載のウェブログ管理方法。
【産業上の利用可能性】
【０１０１】
本発明は、インターネット上に膨大に存在するウェブログから、手間を煩わせることなく、更新者のウェブログの記事に関連するウェブログを処理負担なく効率的に検索して容易にリンクさせたい場合に有用である。
【図面の簡単な説明】
【０１０２】
【図１】本発明の概要を説明するための説明図（その１）である。
【図２】本発明の概要を説明するための説明図（その２）である。
【図３】実施例１にかかるウェブログ管理装置の構成を示す機能ブロック図である。
【図４】ウェブログ記憶部に記憶されるウェブログのソースコードの例を示す図である。
【図５】ユーザ情報記憶部に記憶されるユーザ情報の例を示す図である。
【図６】ウェブログ検索結果記憶部に記憶されるウェブログ検索結果のソースコード例を示す図である。
【図７】実施例１のウェブログ自動リンク処理手順を示すフローチャートである。
【図８】検索条件設定画面の例を示す図である。
【図９】実施例２のウェブログ自動リンク処理手順を示すフローチャートである。
【図１０】実施例２にかかるウェブログの画面表示の例を示す図である。
【符号の説明】
【０１０３】
Ｎ    ネットワーク
１００、１００ａ、・・・、１００ｘ    ウェブログ管理装置
１０１    ウェブログ更新処理部
１０２    記憶部
１０２ａ    ウェブログ記憶部
１０２ｂ    ユーザ情報記憶部
１０２ｃ    ウェブログ検索結果記憶部
１０３    ウェブログ検索処理部
１０４    表示制御部
１０５    検索条件設定部
１０６    インターフェース部
２００    ウェブログ更新端末装置
２０１    表示画面
２０１ａ    ウェブログタイトル表示部
２０１ｂ    記事タイトル表示部
２０１ｃ    更新日時表示部
２０１ｄ    記事入力表示部
２０１ｅ    更新ボタン
２０１ｆ    更新キャンセルボタン
２０１ｇ    ウェブログ検索結果表示部
２０１ｈ    検索条件設定ボタン
２０１ｉ    修正ボタン
２０１ｊ    ウェブログ検索ボタン
２０２    ウェブログ検索条件設定画面
２０２ａ    ウェブログタイトル検索条件設定部
２０２ｂ    ウェブログ記事タイトル検索条件設定部
２０２ｃ    ウェブログ記事検索条件設定部
２０２ｄ    ユーザ性別検索条件設定部
２０２ｅ    検索対象年齢検索条件設定部
２０２ｆ    検索対象期間検索条件設定部
２０２ｇ    検索条件設定終了ボタン
【図１】
2008225696.tif 000003
【図２】
2008225696.tif 000004
【図３】
2008225696.tif 000005
【図４】
2008225696.tif 000006
【図５】
2008225696.tif 000007
【図６】
2008225696.tif 000008
【図７】
2008225696.tif 000009
【図８】
2008225696.tif 000010
【図９】
2008225696.tif 000011
【図１０】
2008225696.tif 000012